(57)【特許請求の範囲】
【請求項１】
建物を支持する基礎コンクリートを備えた基礎構造に防蟻処理を施す方法であって、
前記基礎コンクリートの防蟻処理部を覆うように遮蔽部材を取り付けるステップと、
前記遮蔽部材を取り付けた後、当該遮蔽部材が存在する状態のままで防蟻薬液を供給し、当該防蟻薬液を所定の移動経路を通って前記防蟻処理部に移動させるステップと、
前記遮蔽部材を取り付ける前に、前記防蟻薬液の移動経路上に不織布を取り付けるステップとを含み、
前記防蟻薬液として、前記不織布への浸透性を高めるための界面活性剤が含有されたものを用い、
バイレック法により測定される前記防蟻薬液の不織布への吸水速度が５〜１００ｍｍとなるように、前記防蟻薬液中の前記界面活性剤の含有量を０．０２〜５質量％に設定する、ことを特徴とする基礎構造の防蟻処理方法。
【請求項２】
請求項１記載の基礎構造の防蟻処理方法において、
前記基礎コンクリートは、床下の地盤から上方に立設された立直部を備え、
前記防蟻処理部は、前記立直部の内側面と他の部材の上面とが交差する内角部である、ことを特徴とする基礎構造の防蟻処理方法。
【請求項３】
請求項２記載の建物の基礎構造の防蟻処理方法において、
固体またはペースト状の防蟻材が前記内角部に配置された、ことを特徴とする基礎構造の防蟻処理方法。
【発明の詳細な説明】
【技術分野】
【０００１】
本発明は、建物の基礎構造に防蟻処理を施す方法に関する。
【背景技術】
【０００２】
建物の基礎構造に関する従来技術として、例えば下記特許文献１が公知である。この特許文献１の基礎構造では、図１８に示されるように、建物を支持する枠状の外周基礎２０１の内側面２０１ａと、外周基礎２０１に囲まれた地盤Ｅを覆うスラブ２０５の上面とに、それぞれ断熱材２１０，２１１が施工されている。外周基礎２０１とスラブ２０５との接合部の上面、つまり、外周基礎２０１の内側面２０１ａとスラブ２０５の上面とが交差する内角部Ｐには、防蟻材２０９が充填されている。
【０００３】
具体的に、特許文献１では、内角部Ｐに対応する断熱材２１１の側端部の下面に、当該部を斜めにカットした切欠き部が設けられており、この切欠き部に対応した領域に、上記防蟻材２０９が充填されている。
【先行技術文献】
【特許文献】
【０００４】
【特許文献１】特開２００５−２１３８３７号公報
【発明の概要】
【発明が解決しようとする課題】
【０００５】
上記特許文献１に開示された基礎構造（図１８）によれば、仮に外周基礎２０１とスラブ２０５との接合部に隙間が生じたとしても、その上方にあたる内角部Ｐに配置された防蟻材２０９の効果により、土中に住む白蟻が上記隙間から外周基礎２０１をつたって上方に這い上がることが阻止され、建物の木質部分（土台や柱等）や断熱材に白蟻による食害が及ぶことが防止される。
【０００６】
しかしながら、図１８に示したような位置に防蟻材２０９を充填した上記特許文献１の構造では、メンテナンス性が悪化するという問題がある。例えば、建物の完成から長期間が経過したような場合には、防蟻材２０９の性能が低下しているので、当該防蟻材２０９の充填箇所（防蟻処理部）に防蟻薬液を供給するなどして防蟻性能を維持することが望ましい。しかしながら、上記特許文献１の構造においてこのような防蟻薬液の供給作業を行うには、断熱材２１０，２１１を一旦取り外す必要があり、作業が煩雑化してしまう。
【０００７】
本発明は、上記のような事情に鑑みてなされたものであり、基礎構造の防蟻処理部に防蟻薬液を供給する作業を効率化することのできる方法を提供することを目的とする。
【課題を解決するための手段】
【０００８】
前記課題を解決するためのものとして、本発明は、建物を支持する基礎コンクリートを備えた基礎構造に防蟻処理を施す方法であって、前記基礎コンクリートの防蟻処理部を覆うように遮蔽部材を取り付けるステップと、前記遮蔽部材を取り付けた後、当該遮蔽部材が存在する状態のままで防蟻薬液を供給し、当該防蟻薬液を所定の移動経路を通って前記防蟻処理部に移動させるステップと、前記遮蔽部材を取り付ける前に、前記防蟻薬液の移動経路上に不織布を取り付けるステップとを含み、前記防蟻薬液として、前記不織布への浸透性を高めるための界面活性剤が含有されたものを用い、バイレック法により測定される前記防蟻薬液の不織布への吸水速度が５〜１００ｍｍとなるように、前記防蟻薬液中の前記界面活性剤の含有量を０．０２〜５質量％に設定する、ことを特徴とするものである（請求項１）。
【０００９】
なお、本発明において、「防蟻処理部」とは、防蟻処理（白蟻を忌避するための所定の処理）が施される場所のことをいう。すなわち、建物の基礎構造においては、白蟻が建物の床下地盤（土中）から這い上がって建物に侵入しないように、基礎コンクリートにおける特に白蟻が侵入し易い場所に防蟻処理を施すことが望ましい。「防蟻処理部」とは、このような防蟻処理が施される場所のことをいうものである。
【００１０】
本発明によれば、防蟻薬液を供給する作業の際に、不織布に防蟻薬液を含浸させることにより、遮蔽部材が基礎コンクリートに取り付けられた状態のままで、防蟻薬液を確実に防蟻処理部まで移動させることができる。これにより、防蟻薬液の供給のためにわざわざ遮蔽部材を取り外すなどの煩雑な準備をする必要がなくなり、防蟻薬液を供給する作業の作業性を格段に向上させることができる。また、防蟻処理部に対し防蟻薬液が定期的に供給されることにより、防蟻処理部での防蟻効果が長期間に亘って維持されるので、白蟻の侵入を確実に防止することができる。
【００１１】
特に、本発明では、防蟻薬液を不織布に浸透し易くするための界面活性剤が防蟻薬液に含有されるので、不織布に浸透した防蟻薬液を確実に防蟻処理部まで移動させることができ、防蟻薬液の供給作業をより効率化することができる。
【００１２】
前記基礎コンクリートは、一般に、床下の地盤から上方に立設された立直部を備える。この場合、前記防蟻処理部は、前記立直部の内側面と他の部材の上面とが交差する内角部とすることができる（請求項２）。
【００１３】
この構成によれば、内角部が防蟻処理されることにより、当該内角部よりも上方に白蟻が這い上がれないので、立直部の上方の建物に白蟻が侵入するのを効果的に防止することができる。
【００１４】
前記内角部には、固体またはペースト状の防蟻材が配置されることが好ましい（請求項３）。
【００１５】
この構成によれば、内角部に配置された防蟻材により、内角部よりも上方に白蟻が侵入するのを効果的に防止することができる。また、例えば建物の完成後相当の期間が経過したような場合でも、当該防蟻材が配置された内角部に不織布を通じて防蟻薬液を供給することにより、内角部での防蟻効果を長期間に亘って維持できるので、白蟻の侵入を確実に防止することができる。
【発明の効果】
【００２０】
以上説明したように、本発明の基礎構造の防蟻処理方法によれば、防蟻処理部に防蟻薬液を供給する作業を効率化することができる。
【図面の簡単な説明】
【００２１】
【図１】本発明の第１実施形態にかかる建物の基礎構造を示す断面図である。
【図２】上記基礎構造に用いられる断熱材を単体で示す斜視図である。
【図３】上記断熱材を別の角度から見た斜視図である。
【図４】上記断熱材の断面図である。
【図５】上記基礎構造の施工方法を説明するための説明図（その１）である。
【図６】上記施工方法の説明図（その２）である。
【図７】上記施工方法の説明図（その３）である。
【図８】上記施工方法の説明図（その４）である。
【図９】上記基礎構造に対し行われるメンテナンス作業を説明するための図である。
【図１０】上記第１実施形態の変形例を説明するための図である。
【図１１】上記第１実施形態の他の変形例を説明するための図である。
【図１２】上記第１実施形態のさらに他の変形例を説明するための図である。
【図１３】本発明の第２実施形態にかかる建物の基礎構造を示す断面図である。
【図１４】上記第２実施形態の基礎構造に対し行われるメンテナンス作業を説明するための図である。
【図１５】本発明の第３実施形態にかかる建物の基礎構造を示す断面図である。
【図１６】本発明の第４実施形態にかかる建物の基礎構造を示す断面図である。
【図１７】本発明の第５実施形態にかかる建物の基礎構造を示す断面図である。
【図１８】従来の基礎構造を説明するための図である。
【発明を実施するための形態】
【００２２】
＜第１実施形態＞
（１）基礎構造の全体説明
図１は、本発明の第１実施形態にかかる基礎構造を示す断面図である。本図に示すように、家屋等からなる建物Ｔの床下には、当該建物Ｔを支持する基礎コンクリート１００が打設されている。基礎コンクリート１００は、外周基礎１とスラブ５とを備えている。
【００２３】
外周基礎１は、建物Ｔの床に沿って設けられる枠状のコンクリート材であり、当実施形態では、断面視逆Ｔ字状のいわゆる布基礎とされている。すなわち、外周基礎１は、建物Ｔの床下の地盤Ｅから鉛直上方に立ち上がるように形成された立直部２と、地盤Ｅに埋設された立直部２の下端から水平方向に張り出すように形成されたフーチング３とを一体に有している。立直部２の上面には、建物Ｔの床部の骨格を構成する木製の角材等からなる土台Ｔａが、図外のアンカーボルト等を介して固定されている。
【００２４】
立直部２における床下側の側面、つまり、立直部２の内側面２ａには、断熱材１０が取り付けられている。断熱材１０は、例えば発泡ポリスチレンや発泡ウレタンなど、断熱性に優れた樹脂材料からなり、立直部２の内側面２ａと直交する方向に所定の厚みを有し、且つ立直部２の高さとほぼ同一の高さを有した板状の部材である（後述する図２、図３も参照）。このような断熱材１０が、立直部２の内側面２ａの面積に応じて複数枚用意され、当該内側面２ａに沿って並列に（図１では紙面に直交する方向に）並ぶように取り付けられている。なお、断熱材１０は、後述する内角部Ｃ（防蟻材９）を床下側から見えないように覆うものであり、請求項にいう「遮蔽部材」に相当する。
【００２５】
断熱材１０は、例えば接着剤を介して立直部２の内側面２ａに固定されている。断熱材１０の固定に接着剤を用いる場合には、接着剤として防蟻用の薬剤が練り込まれたものを用いることが好ましい。なお、接着剤に含有され得る薬剤の具体例は、後述する防蟻材９の説明において例示する薬剤と基本的に同じであるので、ここでは説明を省略する。
【００２６】
スラブ５は、地盤Ｅの上面に打設された平板状のコンクリート材である。スラブ５は、床下の地盤Ｅを全面的に覆うように水平方向に拡がっており、その周囲が外周基礎１（立直部２）によって囲まれている。
【００２７】
スラブ５の周縁部には、外周基礎１に近づくほど高さが低くなるように傾斜した下面を有する増厚部５ａが形成されている。断熱材１０は、その下部がスラブ５の増厚部５ａと外周基礎１との間に挟まれるような状態で基礎コンクリート１００に取り付けられている。
【００２８】
スラブ５と地盤Ｅとの間にはシート材７が敷設されている（図面ではシート材７を一点鎖線で表している）。シート材７は、少なくとも防湿性を有する材質、より好ましくは防湿性および防蟻性を兼ね備えた材質により構成されている。シート材７に防蟻性をもたせる場合、このシート材７の材質としては、防蟻用の薬剤が練り込まれたものを用いることができる。なお、シート材７に練り込まれる薬剤の具体例は、後述する防蟻材９の説明において例示する薬剤と基本的に同じであるので、ここでは説明を省略する。
【００２９】
立直部２の内側面２ａとフーチング３の上面とが交差する角度を、以下では内角部Ｃと称する。この内角部Ｃには、白蟻を忌避する性質（防蟻性）を有する防蟻材９が充填されている。すなわち、立直部２の内側面２ａをつたって白蟻が上方に（建物Ｔ側に）侵入するのを防止するためには、内側面２ａの下端である内角部Ｃに何らかの防蟻処理を施すのが望ましく、当該防蟻処理の一環として、当実施形態では内角部Ｃに防蟻材９が充填されている。このように、防蟻材９が充填される内角部Ｃは、請求項にいう「防蟻処理部」に相当する。また、立直部２の内側面２ａと協働して内角部Ｃを形成するフーチング３は、請求項にいう「他の部材」に相当する。
【００３０】
防蟻材９は、防蟻性を有する固体またはペースト状の物質である。このような防蟻材９としては、例えば、防蟻用の薬剤が練りこまれたペースト状の樹脂組成物、防蟻用の薬剤を含有した樹脂成形体（フィルム、ペレット、板材など）、防蟻用の薬剤が付着された無機質の粉体ないし粒材、および尖角形状のガラス粒材のうちのいずれか１つ、もしくはこれらを２つ以上組み合わせたものを使用することができる。
【００３１】
また、防蟻材９に含有される薬剤は、防蟻性を有するものであれば特にその種類を問わないが、例えば、ピレスロイド様薬剤（シラフルオフェン、エトフェンプロックス等）、ピレスロイド系薬剤（ビフェントリン、サイパーメストン、デルタメスリン、パーメスリン、ペルメスリン、アレスリン、トラロメスリン等）、カーバメント系薬剤（プロボクスル、フェノブカルブ、セビン等）、クロルニコチル系薬剤（イミダクロプリド、アセタプリド、クロチアニシン等）、ニトロガニリン系薬剤（ジノテフラン等）、有機リン系殺虫剤（ホキシム、テトラクロクピンホス、フェニトロチオン、プロベタンホス等）、ピラゾール系薬剤（フィブロニル等）、クロルフェノール系薬剤（４−プロモ−２，５−ジクロルフェノール（ＢＤＣＰ）等）、フェニルピロール系（クロルフェナビル等）、ヒバ油、ウコン、カプリン酸、ヤシ油、パーム油等を、上記薬剤として使用することができる。
【００３２】
図２〜図４は断熱材１０の具体的形状等を説明するための斜視図および断面図である。以下の説明では、断熱材１０における立直部２側の面を裏面１１、断熱材１０における立直部２とは反対側（床下側）の面を表面１３、フーチング３を覆う断熱材１０の下面を底面１２とする。
【００３３】
断熱材１０の底面１２には、当該底面１２と裏面１１とが交差する角部を矩形状に切り欠いた底溝１２ａが形成されている。この底溝１２ａの存在により、外周基礎１の内角部Ｃには、断熱材１０が取り付けられた状態において、フーチング３の上面と立直部２の内側面２ａと底溝１２ａとにより囲まれた所定容積の（断面矩形の）空間が形成される。防蟻材９は、この底溝１２ａに対応する空間に閉じ込められるような状態で配置されている（図１参照）。なお、当実施形態のような矩形状の底溝１２ａを設ける代わりに、断熱材１０の角部（底面１２と裏面１１とが交差する角部）をテーパ状にカットすることにより、当該カット面（傾斜面）とフーチング３の上面と立直部２の内側面２ａとの間に断面三角形の空間が形成されるようにしてもよい。
【００３４】
断熱材１０には、当該断熱材１０を厚み方向に貫通する複数のガイド孔１５が形成されている。各ガイド孔１５は、断熱材１０の高さ方向（上下方向）の中間部に水平方向に並ぶように設けられている。断熱材１０が立直部２の内側面２ａに取り付けられた状態（図１）において、断熱材１０の表面１３に開口するガイド孔１５の入口は、スラブ５の上面よりも高いところに位置している。
【００３５】
断熱材１０には、その裏面１１および底面１２の一部を覆うように不織布２０が取り付けられている。なお、不織布２０は、図１、図２、図４では太い実線により表され、図３ではグレーの着色領域により表されている。これらの図に示すように、不織布２０は、裏面１１のうちガイド孔１５よりも若干高い位置から下端の底溝１２ａに至るまでの範囲（裏面１１の略下半分）と、底面１２のうち底溝１２ａが形成されている部分とを連続して覆うように取り付けられている。不織布２０を断熱材１０に固定する手段は特に問わないが、例えば、接着剤、ビス、タッカー等を用いて不織布２０を断熱材１０に固定してもよいし、不織布２０が内面に装着された金型を用いて断熱材１０を成形することにより断熱材１０と不織布２０とを一体化してもよい。
【００３６】
ここで、当実施形態で用いられる不織布２０には、親水処理が施されている。これは、メンテナンス作業時に供給される後述する防蟻薬液９ａが不織布２０に浸透するのを促進するためである。
【００３７】
不織布２０の材料の具体例としては、ポリエステル樹脂（ポリエチレンテレフタレート樹脂）、ポリエチレン樹脂、ポリプロピレン樹脂、ポリアミド樹脂、およびこれらの複合物などの合成材料、絹、綿、麻などの天然材料、ガラス繊維、炭素繊維などの無機材料が挙げられる。不織布２０は、これらの材料のいずれを用いて、例えばスパンボンド法またはメルトブロー法によって製造される。不織布２０の目付量は５〜５００ｇ／ｍ２であることが好ましく、より好ましくは１０〜２５０ｇ／ｍ２、さらに好ましくは１５〜１００ｇ／ｍ２である。
【００３８】
親水処理としては、例えば、不織布２０に界面活性剤を付与する処理、不織布２０に親水性樹脂を塗布する処理、不織布２０表面のエッチング処理またはプラズマ処理、酸化チタン等の光触媒を用いた表面処理、およびアルカリケイ酸塩等の無機系コート剤を用いた表面処理のいずれかもしくはこれらを２つ以上組み合わせた処理が好適である。
【００３９】
親水処理のために不織布２０に界面活性剤を付与する用いる場合は、例えば、不織布２０の表面に界面活性剤を噴霧または塗布して含浸させるか、もしくは不織布２０の材料として界面活性剤が練り込まれた合成材料を用いるとよい。界面活性剤の付与量としては、繊維に対する固形分換算で０．０２〜５質量％の界面活性剤を付与することが好ましく、より好ましくは０．０５〜３質量％であり、さらに好ましくは０．１〜２質量％である。
【００４０】
界面活性剤としては、アニオン系界面活性剤、カチオン系界面活性剤、ノニオン系界面活性剤、および両性イオン界面活性剤のいずれかもしくはこれらを２つ以上組み合わせたものが好適である。
【００４１】
アニオン系界面活性剤の具体例としては、脂肪酸ナトリウム、脂肪酸カリウム、アルファスルホ脂肪酸エステルナトリウム、アルキルベンゼンスルホン酸ナトリウム、アルキル硫酸エステルナトリウム、アルキルエーテル硫酸エステルナトリウム、アルファオレフィンスルホン酸ナトリウム、アルキルスルホン酸ナトリウムが挙げられる。
【００４２】
カチオン系界面活性剤の具体例としては、アルキルトリメチルアンモニウム塩、ジアルキルジメチルアンモニウム塩、ラウリルトリメチルアンモニウム塩、ステアリルトリメチルアンモニウム塩、セチルトリメチルアンモニウム塩、ジステアリルジメチルアンモニウム塩などの４級アンモニウム塩が挙げられる。
【００４３】
ノニオン系界面活性剤の具体例としては、ポリオキシエチレンアルキルエーテル、ポリオキシエチレンアルキルフェニルエーテル、ポリプロピレングリコールエチレンオキサイド付加物などのポリエチレングリコール型界面活性剤、ショ糖脂肪酸エステルソルビタン脂肪酸エステル、ポリオキシエチレンソルビタン脂肪酸エステル、脂肪酸アルカノールアミドなどの多価アルコール型界面活性剤が挙げられる。
【００４４】
両性イオン界面活性剤の具体例としては、アルキルアミノ脂肪酸ナトリウム、アルキルベタイン、アルキルアミンオキシドが挙げられる。
【００４５】
上述した各方法により親水処理された不織布２０は、ＪＩＳ  Ｌ１９０７（バイレック法）により測定される吸水速度が５〜１００ｍｍであることが好ましく、より好ましくは１０〜１００ｍｍ、さらに好ましくは２０〜１００ｍｍである。なお、親水処理をしなかった場合、吸水速度は０ｍｍになる。
【００４６】
実施例として、目付量３５ｇ／ｍ２のポリエチレンテレフタレート樹脂製の不織布に、ノニオン系界面活性剤（ポリオキシエチレンアルキルエーテル）を付与した。この場合に得られた不織布の吸水速度は４２ｍｍであった。
【００４７】
（２）施工方法
次に、以上のような基礎構造を施工する方法について説明する。なお、この説明の前提として、地盤Ｅには既に外周基礎１（立直部２およびフーチング３）が打設されているものとする。
【００４８】
この状態から始める作業としては、まず、図５に示すように、床下の地盤Ｅにおける立直部２に近い部分に掘り込み部Ｘを形成する。この掘り込み部Ｘは、下面の幅が断熱材１０の厚みと略同一で、かつ上面の幅が下面の幅よりも大きくなるように形成される。このような掘り込み部Ｘが形成された後の地盤Ｅの外周は、上側ほど立直部２から離間するように傾斜した傾斜面ｙとなる。
【００４９】
次いで、図６に示すように、掘り込み部Ｘの形成に伴い露出したフーチング３の上面と立直部２の内側面２ａとが交差する内角部Ｃに防蟻材９を配置する。また、床下の地盤Ｅの上面を覆うようにシート材７を敷設する。このとき、シート材７の周縁部は、掘り込み部Ｘにより露出したフーチング３の上面と、内角部Ｃに配置された防蟻材９とをともに覆うように敷設される。
【００５０】
次いで、図７に示すように、裏面１１および底面１２に不織布２０が取り付けられた断熱材１０（図２、図３参照）を用意し、これを外周基礎１に取り付ける。すなわち、断熱材１０の底面１２をフーチング３の上面に載置するとともに、断熱材１０の裏面１１を例えば接着剤（好ましくは防蟻用の薬剤を含有した接着剤）を用いて立直部２の内側面２ａに固定することにより、立直部２の内側面２ａを覆うように断熱材１０を取り付ける。
【００５１】
上記のようにして断熱材１０が取り付けられると、図８に示すように、この断熱材１０の底面１２によって、フーチング３の上面に敷設されたシート材７、および内角部Ｃに配置された防蟻材９が上から覆われる。このとき、防蟻材９は、断熱材１０の底面１２に設けられた底溝１２ａに対応する空間（底溝１２ａと内角部Ｃとで囲まれた空間）に閉じ込められる。また、この空間に入りきらない一部の防蟻材９は、断熱材１０の底面１２とフーチング３の上面との間に挟まれて引き伸ばされる。
【００５２】
次いで、床下の地盤Ｅを覆うようにスラブ５を施工する（図１参照）。このとき、地盤Ｅの掘り込み部Ｘ、より詳しくは掘り込み部Ｘのうち断熱材１０の表面１３と地盤Ｅの傾斜面ｙとの間に形成される空間にもコンクリートが流れ込み、この掘り込み部Ｘに対応する部分に増厚部５ａが形成される。これにより、スラブ５の増厚部５ａと立直部２の内側面２ａとの間に断熱材１０の下部が挟み込まれ、断熱材１０がより強固に固定される。なお、スラブ５の厚みは、当該スラブ５の上面の高さが断熱材１０のガイド孔１５よりも低くなるような厚みとされる。このため、スラブ５の施工後においても、ガイド孔１５の入口（表面１３側の開口）が塞がれることはない。
【００５３】
（３）メンテナンス作業
次に、以上のような方法で施工された基礎構造に対し、防蟻効果を維持するためのメンテナンスを作業を行うときの作業手順について説明する。
【００５４】
土中に住む白蟻は、基本的に暗がりを行動範囲とするため、建物Ｔに侵入しようという場合は、例えば立直部２の内側面２ａと断熱材１０の裏面１１との隙間を通って上方に這い上がろうとする。しかしながら、当実施形態の構造では、立直部２とフーチング３との内角部Ｃに防蟻材９が配置されているため、基本的には、この防蟻材９によって白蟻の這い上がりが阻止される。しかしながら、防蟻材９に含有されている薬剤の効果が経年劣化により薄れたり、防蟻材９の体積が乾燥により収縮するなどしていれば、白蟻が防蟻材９を通過してさらに上方まで這い上がり、建物Ｔの土台Ｔａ等が白蟻に食われるという被害（食害）が及ぶこともあり得る。このような白蟻による被害を抑えるには、防蟻材９に定期的に防蟻薬液９ａ（図９）を供給することが有効である。
【００５５】
当実施形態において、上記のような防蟻薬液９ａの供給作業は、断熱材１０を基礎コンクリート１００に取り付けた状態のままで行うことが可能である。その一例を図９に示す。図９は、注射器Ｓを用いて防蟻薬液９ａを防蟻材９に導入する場合を例示したものである。防蟻薬液９ａとしては、例えば、防蟻用の薬剤を水または溶剤に溶かしたものを用いることができ、この防蟻薬液９ａに含まれる薬剤としては、防蟻材９の説明の際に挙げたものと同様の薬剤を用いることができる。
【００５６】
防蟻薬液９ａを供給するために、作業者は、建物Ｔの床下に入り込み、注射器Ｓを用いて断熱材１０に防蟻薬液９ａを注入する。より具体的には、防蟻薬液９ａが内部に装填された注射器Ｓの針先を、断熱材１０のガイド孔１５の入口（表面１３側の開口）に挿入し、その状態で、注射器Ｓのピストンを押圧することにより、注射器Ｓ内の防蟻薬液９ａをガイド孔１５の内部に注入する。ガイド孔１５に注入された防蟻薬液９ａは、ガイド孔１５の出口（裏面１１側の開口）から流出し、裏面１１に取り付けられた不織布２０に含浸される。不織布２０に含浸された防蟻薬液９ａは、時間経過とともに不織布２０全体に浸透することにより、断熱材１０の裏面１１と立直部２の内側面２ａとの間を通って下方へと移動していく。これにより、防蟻薬液９ａは、不織布２０の下端部、つまり断熱材１０の底溝１２ａを覆っている部分の不織布２０にまで移動し、最終的には、当該底溝１２ａと内角部Ｃとに囲まれた空間に配置されている防蟻材９に到達する。
【００５７】
このように、当実施形態では、メンテナンス時にガイド孔１５から注入される防蟻薬液９ａを、断熱材１０の裏面１１と立直部２の内側面２ａとの間を通って内角部Ｃ（防蟻材９）まで移動させる必要があるので、この防蟻薬液９ａの移動経路に対応する箇所、つまり断熱材１０の裏面１１の略下半分と底溝１２ａとに、防蟻薬液９ａが浸透可能な不織布２０が取り付けられている。防蟻薬液９ａの移動経路上に不織布２０が取り付けられていることで、ガイド孔１５から注入された防蟻薬液９ａは、不織布２０を通じて、内角部Ｃに配置されている防蟻材９にまんべんなく行き渡る。
【００５８】
（４）作用等
以上説明したように、上記第１実施形態の基礎構造では、立直部２の内側面２ａとフーチング３の上面とが交差する内角部Ｃが防蟻処理部とされ、当該内角部Ｃに防蟻材９が配置されている。立直部２の内側面２ａには断熱材１０が取り付けられており、当該断熱材１０の下端（底面１２）には、防蟻材９を内角部Ｃに閉じ込めるための底溝１２ａが形成されている。また、断熱材１０には、その下端の底溝１２ａと、当該底溝１２ａからその所定距離上方までの範囲の裏面１１とを連続して覆うように、親水処理が施された不織布２０が取り付けられているとともに、当該不織布２０と重複する高さ位置（不織布２０の上端より若干低い位置）に、断熱材１０を厚み方向に貫通するガイド孔１５が形成されている。このような構成によれば、断熱材１０に設けられたガイド孔１５に防蟻薬液９ａを注入するだけで、当該防蟻薬液９ａを不織布２０を通じて内角部Ｃ（防蟻材９）まで移動させることができるので、防蟻薬液９ａの供給作業をより効率化できる等の利点がある。
【００５９】
すなわち、上記第１実施形態において、断熱材１０のガイド孔１５に防蟻薬液９ａが注入されると、断熱材１０の裏面１１に防蟻薬液９ａが流出し、この流出した防蟻薬液９ａが、断熱材１０の裏面１１および底溝１２ａに取り付けられた不織布２０を通じて、立直部２の内側面２ａとフーチング３の上面とが交差する内角部Ｃまで移動する。このように、わざわざ断熱材１０を取り外すなどの煩雑な準備をしなくても、防蟻薬液９ａを内角部Ｃまで移動させることができるので、内角部Ｃに配置された防蟻材９に防蟻薬液９ａを効率よく供給することができ、メンテナンスの作業性を格段に向上させることができる。また、防蟻材９に防蟻薬液９ａが定期的に供給されることにより、内角部Ｃでの防蟻効果が長期間に亘って維持されるので、内角部Ｃを通った白蟻の侵入を確実に防止することができる。
【００６０】
特に、上記第１実施形態では、防蟻薬液９ａが不織布２０に浸透し易くなるように当該不織布２０に親水処理が施されているので、ガイド孔１５に注入された防蟻薬液９ａを不織布２０を通じて確実に内角部Ｃまで移動させることができ、当該防蟻薬液９ａをより効率よく防蟻材９に供給することができる。
【００６１】
また、断熱材１０の裏面１１に取り付けられた不織布２０に防蟻薬液９ａが含浸されることで、不織布２０自体が防蟻性能を発揮することになるので、この不織布２０により、立直部２の内側面２ａと断熱材１０の裏面１１との間を通った白蟻の侵入を阻止することができる。これにより、内角部Ｃに配置された防蟻材１０を突破した白蟻が仮に存在したとしても、この白蟻がさらに上方に移動して建物Ｔに侵入するのをより確実に防止することができる。
【００６２】
なお、上記第１実施形態では、断熱材１０の裏面１１におけるガイド孔１５より下側の領域と断熱材１０の底溝１２ａとをそれぞれ覆うように不織布２０を取り付けたが、不織布２０は、少なくとも、ガイド孔１５から供給された防蟻薬液９ａが内角部Ｃ（防蟻材９）まで移動するときの移動経路上に取り付けられていればよい。このため、不織布２０は、少なくとも断熱材１０の裏面１１の下方領域（ガイド孔１５より下側の領域）を覆っていればよく、底溝１２ａを覆う部分の不織布２０については省略してもよい。この場合でも、不織布２０に含浸された防蟻薬液９ａは、不織布２０の下端を通じて防蟻材９に到達すると考えられる。ただし、いずれの場合でも、ガイド孔１５に注入された防蟻薬液９ａを確実に不織布２０に含浸させるために、ガイド孔１５は不織布２０と重複する高さ位置に設ける必要がある。言い換えると、不織布２０は、断熱材１０の裏面１１のうちその下端からガイド孔１５の出口（裏面１１側の開口）までの範囲を少なくとも覆うように取り付けられる。
【００６３】
また、上記第１実施形態では、防蟻材９が配置された内角部Ｃに防蟻薬液９ａを移動させるために、断熱材１０に設けられたガイド孔１５に注射器Ｓを用いて防蟻薬液９ａを注入するようにしたが、ガイド孔１５に防蟻薬液９ａを注入できるものであれば、注射器Ｓに限らず適宜使用可能である。
【００６４】
また、ガイド孔１５は、予め断熱材１０に設けられていなくてもよい。すなわち、建物Ｔの施工時は、ガイド孔が設けられていない断熱材を外周基礎１に取り付け、防蟻薬液９ａを供給するメンテナンス時にはじめて断熱材にガイド孔を設けるようにしてもよい。
【００６５】
また、上記第１実施形態では、スラブ５の上面には断熱材を配置しなかったが、図１６を用いて説明した従来技術と同様に、スラブ５の上面に断熱材１０とは別の断熱材を配置してもよい。
【００６６】
また、上記第１実施形態では、断熱材１０の底面１２を部分的に切り欠いて底溝１２ａを形成し、この底溝１２ａと外周基礎１の内角部Ｃとにより囲まれた空間に防蟻材９を閉じ込めるようにしたが、上記底溝１２ａは必須ではなく、省略してもよい。底溝１２ａを省略した場合、つまり図１０に示すように断熱材１０の底面を段差のない平坦な面１２’によって構成した場合は、例えば、断熱材１０の底面１２’とフーチング３との間に防蟻材９をまんべんなく引き伸ばし、両者の隙間を埋めるように防蟻材９を配置することが望ましい。また、不織布２０については、ガイド孔１５より下方の範囲の断熱材１０の裏面１１と、断熱材１０の底面１２’の全面とを覆うように取り付けることが望ましい。なお、この図１０の例では、フーチング３の上面における防蟻材９の配置領域（断熱材１０の底面１２’とフーチング３の上面との間）が、請求項にいう「防蟻処理部」に相当する。
【００６７】
また、上記第１実施形態では、建物Ｔを支持する立直部２とその下端部から水平方向に張り出すフーチング３とを備えた外周基礎１（いわゆる布基礎）の内角部Ｃ、つまり立直部２の内側面２ａとフーチング３の上面とが交差する内角部Ｃに防蟻材９を配置し、当該防蟻材９に防蟻薬液９ａを供給するという例について説明したが、本発明が適用可能な構造は、上記のような内角部Ｃに防蟻材９を配置した例に限られない。例えば、図１１に示す例では、基礎コンクリート１０１が外周基礎１（立直部２およびフーチング３）とスラブ１０５とを有しており、スラブ１０５の周縁部が立直部２の内側面２ａまで拡がっている。このため、スラブ１０５の上面と立直部２の内側面２ａとによって内角部Ｃ’が形成されている。そして、この内角部Ｃ’に防蟻材９が配置され、その上方に断熱材１０が取り付けられている。この図１１の例において、防蟻材９が配置される内角部Ｃ’は、請求項にいう「防蟻処理部」に相当し、立直部２の内側面２ａと協働して内角部Ｃ’を形成するスラブ１０５の周縁部は、請求項にいう「他の部材」に相当し、内角部Ｃ’に配置された防蟻材９を覆う断熱材１０は、請求項にいう「遮蔽部材」に相当する。
【００６８】
また、図１２に示すように、地盤Ｅがスラブで覆われていない基礎構造に断熱材１０を取り付ける場合にも、本発明は適用可能である。すなわち、図１２の例では、地盤Ｅの上面にシート材７が敷設されており、このシート材７の周縁部を地盤Ｅとの間で挟むように断熱材１０が取り付けられている。地盤Ｅの上面と立直部２の内側面２ａとが交差する内角部Ｃ”には防蟻材９が配置され、この防蟻材９を上から覆うように断熱材１０が取り付けられている。なお、図１２の例では、内角部Ｃ”が請求項にいう「防蟻処理部」に相当し、地盤Ｅが請求項にいう「他の部材」に相当し、断熱材１０が請求項にいう「遮蔽部材」に該当する。
【００６９】
さらに、図示を省略するが、外周基礎１からフーチング３が省略されたいわゆるベタ基礎とよばれる基礎構造の場合にも、本発明は適用可能である。この場合、基礎コンクリートは、地盤を覆うように水平方向に拡がるスラブ（底盤コンクリート）と、当該スラブの周縁部の上面に接合されて上方に立設される立直部とを備える。この場合でも、上記図１１の例と同様、立直部とスラブとにより内角部が形成されるので、この内角部（防蟻処理部）に防蟻材を施工することができる。
【００７０】
＜第２実施形態＞
図１３は、本発明の第２実施形態を説明するための図である。なお、本図において、先の第１実施形態と同一の構成要素には同一の符号を付すこととし、その詳細な説明を省略する。
【００７１】
図１３に示される第２実施形態では、外周基礎１に取り付けられる断熱材５０が、上下方向に２分割されている。すなわち、断熱材５０は、フーチング３の上側に配置される下側断熱材５０Ａと、下側断熱材５０Ａの上側に配置される上側断熱材５０Ｂとを有している。下側断熱材５０Ａは、立直部２の内側面２ａの下方領域を覆うように取り付けられ、上側断熱材５０Ｂは、立直部２の内側面２ａにおける下側断熱材５０Ａよりも上方領域を覆うように取り付けられている。これにより、立直部２の内側面２ａは、上下方向のほぼ全域が下側断熱材５０Ａおよび上側断熱材５０Ｂによって覆われている。
【００７２】
外周基礎１の内角部Ｃ、つまり立直部２の内側面２ａとフーチング３の上面とが交差する内角部Ｃには、防蟻材９が配置されている。なお、当実施形態において、防蟻材９が配置される内角部Ｃは、請求項にいう「防蟻処理部」に相当し、立直部２の内側面２ａと協働して内角部Ｃを形成するフーチング３は、請求項にいう「他の部材」に相当する。
【００７３】
下側断熱材５０Ａの底面５２には、当該底面５２と裏面５１とが交差する角部を矩形状に切り欠いた底溝５２ａが形成されており、この底溝５２ａと外周基礎１の内角部Ｃとにより囲まれた空間に閉じ込められるようにして防蟻材９が配置されている。このように、当実施形態における下側断熱材５０Ａは、内角部Ｃに配置された防蟻材９を床下側から見えないように覆っているので、請求項にいう「遮蔽部材」に相当する。
【００７４】
下側断熱材５０Ａには、先の第１実施形態と同様の親水処理が施された不織布６０が取り付けられている。具体的に、不織布６０は、下側断熱材５０Ａの裏面５１、底面５２（底溝５２ａを含む）、表面５３、および上面５４をそれぞれ覆うように取り付けられている。さらに、図示を省略するが、図１３の紙面に直交する方向を下側断熱材５０Ａの長手方向としたとき、この長手方向の一側と他側の側面にも不織布６０が取り付けられている。このように、不織布６０は、直方体形状の下側断熱材５０Ａの６面全てを覆うように取り付けられている。
【００７５】
当実施形態において、防蟻効果を維持するためのメンテナンス作業を行うときは、図１４に示すように、床下に露出した部分の不織布６０、より具体的には、下側断熱材５０Ａの表面５３のうちスラブ５よりも上側に位置する部分の不織布６０に、例えば噴霧器７０を用いて防蟻薬液９ａを散布する。
【００７６】
噴霧器７０から散布された防蟻薬液９ａは、上述した不織布６０の露出部分に含浸されて、時間経過とともに不織布６０の全体に浸透する。これにより、防蟻薬液９ａは、外周基礎１の内角部Ｃに位置する不織布６０にまで浸透し、最終的には、当該内角部Ｃに配置された防蟻材９に到達する。
【００７７】
以上のように、上記第２実施形態では、下側断熱材５０Ａおよび上側断熱材５０Ｂを含む分割タイプの断熱材５０が外周基礎１に取り付けられるとともに、このうちの下側断熱材５０Ａの全面（裏面５１、底面５２、表面５３、上面５４）に、親水処理が施された不織布６０が取り付けられている。このため、メンテナンス時には、下側断熱材５０Ａに取り付けられた不織布６０に防蟻薬液９ａを含浸させるだけの簡単な方法で、内角部Ｃまで防蟻薬液９ａを確実に移動させることができ、当該内角部Ｃに配置された防蟻材９に防蟻薬液９ａを効率よく供給することができる。
【００７８】
また、断熱材５０が上下に分割されている（下側断熱材５０Ａおよび上側断熱材５０Ｂを有する）ので、防蟻材９を覆う下側断熱材５０Ａにのみ不織布６０を取り付ければ足り、その上の上側断熱材５０Ｂには不織布６０を取り付けなくて済む。このため、たとえ下側断熱材５０Ａの全面を不織布６０によって覆ったとしても、その不織布６０の使用面積を効果的に抑制することができる。
【００７９】
なお、上記第２実施形態では、下側断熱材５０Ａの全面を覆うように不織布６０を取り付けたが、不織布６０は、少なくとも、噴霧器７０から散布された防蟻薬液９ａが内角部Ｃ（防蟻材９）まで移動するときの移動経路上に取り付けられていればよい。このため、不織布６０は、例えば、下側断熱材５０Ａの表面５３のうち床下に露出している部分（スラブ５の上面よりも上側の部分）と下側断熱材５０の上面５４および裏面５１だけを覆うものであってもよい。このようにした場合でも、床下に露出した部分の不織布６０に散布された防蟻薬液９ａが、下側断熱材５０Ａの上面５４および裏面５１を覆う部分の不織布６０を通じて内角部Ｃまで移動する。
【００８０】
さらに、下側断熱材５０Ａの表面５３および底面５２だけに不織布６０を取り付けてもよく、この場合でも、防蟻薬液９ａを不織布６０を通じて内角部Ｃ（防蟻材９）まで移動させることができる。ただしこの場合は、下側断熱材５０Ａの裏面５１と立直部２の内側面２ａとの間に、防蟻薬液９ａが含浸された不織布が存在しなくなるので、裏面５１に不織布６０が取り付けられた上記第２実施形態に比べれば、白蟻の建物への侵入を防止する効果が薄れるおそれがある。その意味では、下側断熱材５０Ａの裏面５１に不織布を取り付けるパターンの方が好ましいと言える。
【００８１】
また、上記第２実施形態では、不織布６０に防蟻薬液９ａを含浸させるために噴霧器７０（図１４）を用いたが、これに代わる方法として、例えば刷毛塗り等により防蟻薬液９ａを不織布６０に含浸させてもよい。
【００８２】
また、上記第２実施形態では、先の第１実施形態と同様、立直部２の内側面２ａとフーチング３の上面とが交差する内角部Ｃに防蟻材９を配置したが、上記第１実施形態でも説明したとおり、防蟻材９が配置される場所（防蟻処理部）は上記のような内角部Ｃに限られない。例えば、図１１に示したとおり、立直部２とスラブ１０５との内角部Ｃ’に防蟻材９を配置してよいし、いわゆるベタ基礎における内角部（図示省略）に防蟻材９を配置してもよいし、図１２に示したとおり、立直部２と地盤Ｅとの内角部Ｃ”に防蟻材９を配置してもよい。
【００８３】
また、上記第２実施形態では、先の第１実施形態と同様、下側断熱材５０Ａの底面５２に底溝５２ａを形成したが、この底溝５２ａを省略し、下側断熱材５０Ａの底面を平坦に形成してもよい。
【００８４】
＜第３実施形態＞
図１５は、本発明の第３実施形態を説明するための図である。なお、本図において、先の第１、第２実施形態と同一の構成要素には同一の符号を付すこととし、その詳細な説明を省略する。
【００８５】
図１５に示される第３実施形態では、先の第１実施形態と同様に、外周基礎１およびスラブ１１５からなる基礎コンクリート１０２が地盤Ｅに打設されているが、第１実施形態と異なり、外周基礎１には断熱材が取り付けられていない。スラブ１１５は、その周縁部（増厚部１１５ａ）が立直部２の内側面２ａに当接するまで拡がっており、フーチング３における床下側への張り出し部の上面全体にスラブ１１５の周縁部が積層されている。
【００８６】
外周基礎１の内角部Ｃ、つまり立直部２の内側面２ａとフーチング３の上面とが交差する内角部Ｃには、防蟻材９が配置されている。なお、当実施形態において、防蟻材９が配置される内角部Ｃは、請求項にいう「防蟻処理部」に相当し、立直部２の内側面２ａと協働して内角部Ｃを形成するフーチング３は、請求項にいう「他の部材」に相当する。
【００８７】
上記内角部Ｃに配置された防蟻材９は、スラブ１１５の周縁部（増厚部１１５ａ）によって覆われている。このように、当実施形態におけるスラブ１１５の周縁部は、内角部Ｃに配置された防蟻材９を床下側から見えないように覆っているので、請求項にいう「遮蔽部材」に相当する。
【００８８】
外周基礎１とスラブ１１５との間には、先の第１実施形態と同様の親水処理が施された不織布８０が取り付けられている。不織布８０は、立直部２の内側面２ａに沿って上下方向に延びる部分と、防蟻材９の周りを覆う部分とを有している。前者の部分は、立直部２の内側面２ａとスラブ１１５の周縁部との間に挟まれており、その上端はスラブ１１５の上面よりも高い位置まで延びている。このように、不織布８０は、その上端部が床下に露出するような状態で取り付けられている。
【００８９】
以上のような第３実施形態において、内角部Ｃに配置された防蟻材９に防蟻薬液９ａ（図１４等参照）を供給するメンテナンスの際には、不織布８０のうち床下に露出した部分、つまりスラブ１１５の上面よりも上側に位置する不織布８０の上端部に、噴霧器等を用いて防蟻薬液９ａを散布する。散布された防蟻薬液９ａは、不織布８０の全体に浸透することにより内角部Ｃまで到達する。これにより、床下から見えない位置（内角部Ｃ）にある防蟻材９に効率よく防蟻薬液９ａを供給することができる。
【００９０】
＜第４実施形態＞
上述した各実施形態（第１〜第３実施形態）では、いずれも、防蟻処理部としての内角部（Ｃ，Ｃ’，Ｃ”）に固体またはペースト状の防蟻材９が配置されていたが、防蟻処理部には不織布（２０，６０，８０）を通じて防蟻薬液９ａを供給できるので、防蟻処理部に防蟻材９を配置することは必須ではない。そこで、防蟻処理部に防蟻材９を配置しない場合の一例を第４実施形態として説明する。
【００９１】
図１６は、本発明の第４実施形態にかかる基礎構造を示す図である。この図１６に示される第４実施形態では、スラブ１０５の周縁部と地盤Ｅとの間に設定された防蟻処理部Ａに対する防蟻処理を、専ら不織布９０に防蟻薬液９ａを含浸させることで行う。
【００９２】
具体的に、第４実施形態では、スラブ１０５の周縁部の周りに、先の第１実施形態と同様の親水処理が施された不織布９０が取り付けられている。不織布９０は、立直部２の内側面２ａに沿って上下方向に延びる部分と、防蟻処理部Ａにおける地盤Ｅの上面に沿って水平方向に延びる部分とを有している。前者の部分は、立直部２の内側面２ａとスラブ１０５の周縁部との間に挟まれており、その上端はスラブ１０５の上面よりも高い位置まで延びている。後者の部分、つまり防蟻処理部Ａに配置されている部分は、スラブ１０５の周縁部の下面と地盤Ｅとの間に挟まれている。防蟻処理部Ａには不織布９０が存在するだけで、先の各実施形態で用いたような防蟻材９は配置されていない。
【００９３】
なお、第４実施形態において、防蟻処理部Ａを床下側から見えないように覆っているスラブ１０５は、請求項にいう「遮蔽部材」に相当する。
【００９４】
このように、第４実施形態では、防蟻処理部Ａに防蟻材９が配置されていないため、建物Ｔを施工する当初から、不織布９０を用いて防蟻処理部Ａを防蟻処理しておくとよい。すなわち、不織布９０のうち床下に露出した部分、つまりスラブ１０５の上面よりも上側に位置する不織布９０の上端部に、噴霧器等を用いて防蟻薬液９ａ（図１４等参照）を散布する。散布された防蟻薬液９ａは、不織布９０の全体に浸透することにより防蟻処理部Ａまで到達する。これにより、床下から見えない位置にある防蟻処理部Ａに防蟻薬液９ａを供給し、当該防蟻処理部Ａを効率よく防蟻処理することができる。
【００９５】
また、建物Ｔの完成後相当の期間が経過したような場合には、防蟻処理部Ａでの防蟻効果が低下しているので、これを補うべく、上記と同様に不織布９０を用いて防蟻薬液９ａを防蟻処理部Ａに供給する。これにより、防蟻処理部Ａでの防蟻効果を長期間に亘って維持することができる。
【００９６】
＜第５実施形態＞
さらに、図１７を用いて、防蟻処理部に防蟻材９を配置しない別の例を、本発明の第５実施形態として説明する。図１７に示される第５実施形態では、スラブ１１５を上下方向に貫通するように配管Ｚが配設されている。そして、この配管Ｚの貫通部におけるスラブ１１５の下面と地盤Ｅとの間が、防蟻処理部Ｂとして設定されている。
【００９７】
配管Ｚの貫通部には、先の第１実施形態と同様の親水処理が施された不織布９１が取り付けられている。不織布９１は、配管Ｚの周面に沿って上下方向に延びる部分と、防蟻処理部Ｂにおける地盤Ｅの上面に沿って水平方向に延びる部分とを有している。前者の部分は、配管Ｚの周面とスラブ１１５との間に挟まれており、その上端はスラブ１１５の上面よりも高い位置まで延びている。後者の部分、つまり防蟻処理部Ｂに配置されている部分は、配管Ｚを囲む部分のスラブ１１５の下面と地盤Ｅとの間に挟まれている。防蟻処理部Ｂには不織布９１が存在するだけで、先の各実施形態で用いたような防蟻材９は配置されていない。
【００９８】
なお、第５実施形態において、防蟻処理部Ｂを床下側から見えないように覆っているスラブ１１５は、請求項にいう「遮蔽部材」に相当する。
【００９９】
このように、第５実施形態では、防蟻処理部Ｂに防蟻材９が配置されていないため、建物Ｔを施工する当初から、不織布９１を用いて防蟻処理部Ｂを防蟻処理しておくとよい。すなわち、不織布９１のうち床下に露出した部分、つまりスラブ１１５の上面よりも上側に位置する不織布９１の上端部に、噴霧器等を用いて防蟻薬液９ａ（図１４等参照）を散布する。散布された防蟻薬液９ａは、不織布９１の全体に浸透することにより防蟻処理部Ｂまで到達する。これにより、床下から見えない位置にある防蟻処理部Ｂに防蟻薬液９ａを供給し、当該防蟻処理部Ｂを効率よく防蟻処理することができる。
【０１００】
また、建物Ｔの完成後相当の期間が経過したような場合には、防蟻処理部Ｂでの防蟻効果が低下しているので、これを補うべく、上記と同様に不織布９１を用いて防蟻薬液９ａを防蟻処理部Ｂに供給する。これにより、防蟻処理部Ｂでの防蟻効果を長期間に亘って維持することができる。
【０１０１】
＜他の実施形態＞
上述した第１〜第５実施形態では、防蟻薬液９ａの不織布（２０，６０，８０，９０，９１）への浸透性を高めるために、親水処理を施した不織布を用いたが、浸透性を高める方法はこれに限られない。例えば、防蟻薬液９ａとして、不織布への浸透性を高めるための界面活性剤が含有されたものを用いることが考えられる。界面活性剤は、防蟻薬液９ａの浸透性を高める作用のあるものであればその種類を問わないが、例えば、不織布の親水処理に関する説明の際に挙げたのと同じ界面活性剤を用いることができる。
【０１０２】
界面活性剤が含有された防蟻薬液９ａの不織布への吸水速度（ＪＩＳ  Ｌ１９０７（バイレック法）により測定される吸水速度）は、５〜１００ｍｍであることが好ましく、より好ましくは１０〜１００ｍｍ、さらに好ましくは２０〜１００ｍｍである。
【０１０３】
また、防蟻薬液９ａ中の界面活性剤の含有量（濃度）は、固形分換算で０．０２〜５質量％であることが好ましく、より好ましくは０．０５〜３質量％、さらに好ましくは０．１〜２質量％である。界面活性剤の含有量（濃度）をこの範囲に設定すれば、親水処理を施していない不織布に対する防蟻薬液９ａの吸水速度を、上述した吸水速度（５〜１００ｍｍ）に調整することができる。
【符号の説明】
【０１０４】
１００，１０１，１０２  基礎コンクリート
１  外周基礎
２  立直部
２ａ  （立直基礎の）内側面
３  フーチング
５，１０５，１１５  スラブ
９  防蟻材
９ａ  防蟻薬液
１０，５０  断熱材
２０，６０，８０，９０，９１  不織布
Ａ  防蟻処理部
Ｂ  防蟻処理部
Ｃ，Ｃ’，Ｃ”  内角部（防蟻処理部）
【図１】
0006498471.tif 000002
【図２】
0006498471.tif 000003
【図３】
0006498471.tif 000004
【図４】
0006498471.tif 000005
【図５】
0006498471.tif 000006
【図６】
0006498471.tif 000007
【図７】
0006498471.tif 000008
【図８】
0006498471.tif 000009
【図９】
0006498471.tif 000010
【図１０】
0006498471.tif 000011
【図１１】
0006498471.tif 000012
【図１２】
0006498471.tif 000013
【図１３】
0006498471.tif 000014
【図１４】
0006498471.tif 000015
【図１５】
0006498471.tif 000016
【図１６】
0006498471.tif 000017
【図１７】
0006498471.tif 000018
【図１８】
0006498471.tif 000019